(57)【要約】【課題】ユーザーにとって使いやすく、また、既存のヘルメットで音声を再生することが可能な手段を提供すること。【解決手段】加振装置１は、ＢＴモジュール８と、ＢＴモジュール８により受信された音声信号により振動し、ヘルメット２０に着脱自在に装着される加振器４〜６と、を備える。ＢＴモジュール８は、アプリケーションＰを備えるスマートフォン１０と通信する。加振装置１は、マイク７をさらに備え、ＢＴモジュール８は、マイク７により集音された音声信号を、スマートフォン１０に送信する。【選択図】図１
2019193001.tif 000002
【特許請求の範囲】
【請求項１】
無線通信部と、
前記無線通信部により受信された信号により振動し、ヘルメットに着脱自在に装着される加振器と、
を備えることを特徴とする加振装置。
【請求項２】
前記無線通信部は、アプリケーションを備える電子機器と通信することを特徴とする請求項１に記載の加振装置。
【請求項３】
マイクをさらに備え、
前記無線通信部は、前記マイクにより集音された音声信号を、前記電子機器に送信することを特徴とする請求項２に記載の加振装置。
【請求項４】
前記アプリケーションは、加振装置から送信された音声信号を受信し、受信した音声信号をテキストに変換することを特徴とする請求項３に記載の加振装置。
【請求項５】
前記アプリケーションは、変換したテキストを他の電子機器に送信することを特徴とする請求項４に記載の加振装置。
【請求項６】
前記アプリケーションは、他の電子機器からテキストを受信することを特徴とする請求項２~５に記載の加振装置。
【請求項７】
前記アプリケーションは、他の電子機器から受信したテキストを音声信号に変換することを特徴とする請求項６に記載の加振装置。
【請求項８】
前記アプリケーションは、変換した音声信号を加振装置に送信することを特徴とする請求項７に記載の加振装置。
【請求項９】
前記無線通信部は、前記電子機器から送信された音声信号を受信することを特徴とする請求項８に記載の加振装置。
【請求項１０】
前記無線通信部により受信した信号を増幅する増幅器をさらに備え、
前記加振器は、前記増幅器により増幅された信号により振動することを特徴とする請求項１~９のいずれか１項に記載の加振装置。
【請求項１１】
前記加振器を複数備えることを特徴とする請求項１〜１０のいずれか１項に記載の加振装置。
【請求項１２】
複数の前記加振器は、
第１ドライバを有する第１加振器と、径が前記第１ドライバよりも大きい第２ドライバを有する第２加振器と、を含むことを特徴とする請求項１１に記載の加振装置。
【請求項１３】
２つの前記第１加振器は、
前記ヘルメットの略対称となる縁部に着脱自在に装着されることを特徴とする請求項１２に記載の加振装置。
【請求項１４】
前記第２加振器は、
前記ヘルメットの後部中央に着脱自在に装着されることを特徴とする請求項１２又は１３に記載の加振装置。
【請求項１５】
請求項１〜１４のいずれか１項に記載の加振装置と、
アプリケーションを備え、加振装置と通信する電子機器と、
を備えることを特徴とするシステム。
【発明の詳細な説明】
【技術分野】
【０００１】
本発明は、加振器を備える加振装置、及び、システムに関する。
【背景技術】
【０００２】
従来、加振器をヘルメットに装着することで、ヘルメットを振動させ、音声を再生させる技術が知られている（例えば、特許文献１参照。）。
【先行技術文献】
【特許文献】
【０００３】
【特許文献１】特開２００８−２３６６３７号公報
【発明の概要】
【発明が解決しようとする課題】
【０００４】
しかしながら、従来の技術では、ヘルメットと加振器とが一体化されており、既存のヘルメットから音声を再生させることができないという問題がある。また、加振器にコードが接続されているため（特開２００８−２３６６３７号公報におけるコード２０１、２０４）、ユーザーにとって、コードが邪魔であるという問題がある。
【０００５】
本発明の目的は、ユーザーにとって使いやすく、また、既存のヘルメットで音声を再生することが可能な手段を提供することである。
【課題を解決するための手段】
【０００６】
第１の発明の加振装置は、無線通信部と、前記無線通信部により受信された信号により振動し、ヘルメットに着脱自在に装着される加振器と、を備えることを特徴とする。
【０００７】
本発明では、加振器は、ヘルメットに着脱自在に装着される。これにより、既存のヘルメットに加振器が装着されることで、既存のヘルメットで音声を再生することが可能である。また、無線通信部により信号が受信される。これにより、加振器にコードを接続する必要がないため、ユーザーにとって、コードが邪魔にならず、使いやすい。
【０００８】
第２の発明の加振装置は、第１の発明の加振装置において、前記無線通信部は、アプリケーションを備える電子機器と通信することを特徴とする。
【０００９】
第３の発明の加振装置は、第２の発明の加振装置において、マイクをさらに備え、前記無線通信部は、前記マイクにより集音された音声信号を、前記電子機器に送信することを特徴とする。
【００１０】
第４の発明の加振装置は、第３の発明の加振装置において、前記アプリケーションは、加振装置から送信された音声信号を受信し、受信した音声信号をテキストに変換することを特徴とする。
【００１１】
第５の発明の加振装置は、第４の発明の加振装置において、前記アプリケーションは、変換したテキストを他の電子機器に送信することを特徴とする。
【００１２】
第６の発明の加振装置は、第２〜第５のいずれかの発明の加振装置において、前記アプリケーションは、他の電子機器からテキストを受信することを特徴とする。
【００１３】
第７の発明の加振装置は、第６の発明の加振装置において、前記アプリケーションは、他の電子機器から受信したテキストを音声信号に変換することを特徴とする。
【００１４】
第８の発明の加振装置は、第７の発明の加振装置において、前記アプリケーションは、変換した音声信号を加振装置に送信することを特徴とする。
【００１５】
第９の発明の加振装置は、第８の発明の加振装置において、前記無線通信部は、前記電子機器から送信された音声信号を受信することを特徴とする
【００１６】
第１０の発明の加振装置は、第１〜第９のいずれかの発明の加振装置において、前記無線通信部により受信した信号を増幅する増幅器をさらに備え、前記加振器は、前記増幅器により増幅された信号により振動することを特徴とする。
【００１７】
第１１の発明の加振装置は、第１〜第１０のいずれかの発明の加振装置において、前記加振器を複数備えることを特徴とする。
【００１８】
第１２の発明の加振装置は、第１１の発明の加振装置において、複数の前記加振器は、第１ドライバを有する第１加振器と、径が前記第１ドライバよりも大きい第２ドライバを有する第２加振器と、を含むことを特徴とする。
【００１９】
第１３の発明の加振装置は、第１２の発明の加振装置において、２つの前記第１加振器は、前記ヘルメットの略対称となる縁部に着脱自在に装着されることを特徴とする。
【００２０】
ヘルメットの縁部は、振動しやすいため、本発明では、ヘルメットの縁部に、第２加振器よりもドライバの径が小さい２つの第１加振器が着脱自在に装着される。
【００２１】
第１４の発明の加振装置は、第１２又は第１３の発明の加振装置において、前記第２加振器は、前記ヘルメットの後部中央に着脱自在に装着されることを特徴とする。
【００２２】
ヘルメットの後部中央は、縁部に比べて、駆動力が必要であるため、本発明では、ヘルメットの後部中央に、第１加振器よりもドライバの径が大きい第２加振器が着脱自在に装着される。
【００２３】
第１５の発明のシステムは、第１〜第１４のいずれかの発明の加振装置と、アプリケーションを備え、加振装置と通信する電子機器と、を備えることを特徴とする。
【発明の効果】
【００２４】
本発明によれば、既存のヘルメットで音声を再生することが可能である。また、ユーザーにとって、コードが邪魔にならず、使いやすい。
【図面の簡単な説明】
【００２５】
【図１】本発明の実施形態に係るシステムの構成を示すブロック図である。
【図２】加振器が装着されたヘルメットを被ったユーザーを示す図である。
【図３】加振器が装着されたヘルメットによるユーザーの右耳の鼓膜位置における音圧周波数特性を示す図である。
【発明を実施するための形態】
【００２６】
以下、本発明の実施形態について説明する。図１は、本実施形態に係るシステム１００の構成を示すブロック図である。図１に示すように、システム１００は、加振装置１と、スマートフォン１０と、を備える。加振装置１とスマートフォン１０とは、Bluetooth（登録商標）（以下、「ＢＴ」という。）規格に基づいて、無線通信を行う。なお、本実施形態では、加振装置１とスマートフォン１０とが、ＢＴ規格に基づいて、無線通信を行う。これに限らず、例えば、他の方式で無線通信を行ってもよく、例えば、Ｗｉ-Ｆｉ規格に従って、無線通信を行うようになっていてもよい。
【００２７】
加振装置１は、ＣＰＵ２と、増幅器３と、加振器４〜６と、マイク７と、ＢＴモジュール８と、を備える。ＣＰＵ（Central Processing Unit）２（制御部）は、加振装置１を構成する各部を制御する。増幅器３は、ＢＴモジュール８により受信された音声信号を増幅する。増幅器３により増幅された音声信号は、加振器４〜６に入力される。加振器４〜６は、増幅器３により増幅された音声信号（ＢＴモジュール８により受信された音声信号）により振動する。加振器４〜６の振動により、ヘルメット２０から音声が再生される。
【００２８】
図２は、加振器４〜６が装着されたヘルメット２０を被ったユーザーを示す図である。図２（ａ）は、正面からユーザーを示す図である。図２（ｂ）は、右側からユーザーを示す図である。加振器４、５（第１加振器）は、図２（ａ）に示すように、ヘルメット２０の略対称となる縁部（図２（ａ）における左右の縁部）に着脱自在に装着される。また、加振器６（第２加振器）は、図２（ｂ）に示すように、ヘルメット２０の後部中央に着脱自在に装着される。加振器４、５は、それぞれ、ドライバ（第１ドライバ）を有する。加振器４、５が有するドライバの径（ファイ）は、例えば、１８ｍｍであり、加振器４、５は、超小型加振器である。加振器６は、ドライバ（第２ドライバ）を有する。加振器６が有するドライバの径（ファイ）は、例えば、２８ｍｍであり、加振器６は、小型加振器である。このように、加振器６が有するドライバの径は、加振器４、５が有するドライバの径よりも大きい。ユーザーは、ヘルメット２０を被り、例えば、工事現場等で作業を行う。
【００２９】
ここで、ヘルメット２０の縁部は、振動しやすい。このため、本実施形態では、ヘルメット２０の縁部に、加振器６よりもドライバの径が小さい２つの加振器４、５が着脱自在に装着される。また、ヘルメット２０の後部中央は、縁部に比べて、駆動力が必要である。このため、本実施形態では、ヘルメット２０の後部中央に、加振器４、５よりもドライバの径が大きい加振器６が着脱自在に装着される。なお、ヘルメット２０への加振器４〜６の装着手段は、両面テープ、ねじ等、加振器４〜６をヘルメット２０着脱自在に装着可能であればよい。また、図２においては、加振器４〜６がヘルメット２０の内側に装着されているが、ヘルメット２０の外側に装着されていてもよい。
【００３０】
図３は、加振器４〜６が装着されたヘルメット２０によるユーザーの右耳の鼓膜位置における音圧周波数特性を示す図である。図示するように、加振器４、５、加振器６ともに、ワイドレンジの再生が可能であることがわかる。
【００３１】
マイク７は、音声信号を集音する。マイク７により集音された音声信号は、ＢＴモジュール８により、スマートフォン１０に送信される。ＢＴモジュール８は、ＢＴ規格に従った無線通信を行うためのモジュールである。加振装置１は、ＢＴモジュール８により、スマートフォンと１０と無線通信を行う。
【００３２】
スマートフォン１０（電子機器）は、図示しないが、ＣＰＵ、メモリ、ディスプレイ、操作部、ＢＴモジュール、Ｗｉ−Ｆｉモジュール等を備える。スマートフォン１の記憶部には、アプリケーションＰが記憶されている。アプリケーションＰは、音声通知（音声読み上げ）アプリケーションである。アプリケーションＰは、他の機器から、テキストを受信する。アプリケーションＰは、受信したテキストを音声信号に変換する。例えば、アプリケーションＰは、「作業予定通りですか？」という音声信号に変換する。アプリケーションＰは、変換した音声信号を、加振装置１に送信する。
【００３３】
加振装置１のＢＴモジュール８は、スマートフォン１０から送信された音声信号を受信する。ＢＴモジュールにより受信された音声信号は、増幅器３により、増幅される。増幅器３により増幅された音声信号は、加振器４〜６に入力される。増幅器３により増幅された音声信号により、加振器４〜６は、振動する。加振器４〜６の振動により、ヘルメット２０から音声が再生される。例えば、ヘルメット２０から、「作業予定通りですか？」という音声が再生される。これにより、ユーザーは、ハンズフリーで音声を聴取することができる。
【００３４】
上述のように、マイク７により集音された音声信号は、ＢＴモジュール８により、スマートフォン１０に送信される。例えば、ユーザーが、「あと１０分で終わります。」と発話したとする。スマートフォン１０のアプリケーションＰは、加振装置１から送信された音声信号を受信する。アプリケーションＰは、受信した音声信号を、テキストに変換する。例えば、アプリケーションＰは、「あと１０分で終わります。」というテキストに変換する。アプリケーションＰは、変換したテキストを他の機器に送信する。これにより、ユーザーは、発話して、ハンズフリーで他の機器にメッセージを送信することができる。
【００３５】
以上説明したように、本実施形態では、加振器４〜６は、ヘルメット２０に着脱自在に装着される。これにより、既存のヘルメット２０に加振器４〜６が装着されることで、既存のヘルメット２０で音声を再生することが可能である。また、ＢＴモジュール８により音声信号が受信される。これにより、加振器４〜６にコードを接続する必要がないため、ユーザーにとって、コードが邪魔にならず、使いやすい。
【００３６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３７】
上述の実施形態においては、ヘルメット２０に３つの加振器４〜６がヘルメット２０に装着されるが、ヘルメットに装着される加振器の数は、３つに限られない。
【００３８】
上述の実施形態においては、２つの加振器４、５が、ヘルメット２０の略対称となる縁部（図２（ａ）における左右の縁部）に着脱自在に装着されている。これに限らず、１つの加振器が、ヘルメットの縁部に装着されていてもよい。
【産業上の利用可能性】
【００３９】
本発明は、加振器を備える加振装置、及び、システムに好適に採用され得る。
【符号の説明】
【００４０】
１  加振装置
２  ＣＰＵ
３  増幅器
４、５  加振器（第１加振器）
６  加振器（第２加振器）
７  マイク
８  ＢＴモジュール（無線通信部）
１０  スマートフォン（電子機器）
２０  ヘルメット
Ｐ  アプリケーション
【図１】
2019193001.tif 000003
【図２】
2019193001.tif 000004
【図３】
2019193001.tif 000005